(57)【特許請求の範囲】
【請求項１】
歯部と中央部と埋入部とがこの順に一方向に延伸して一体的に形成された、円筒形状の締結対象物を締め付ける締結バンドであって、
歯部と中央部とにわたって立設する突条も一体的に形成され、
歯部には歯が列設され、埋入部には、当該歯を埋入させて咬合する埋入溝が形成されており、
突条を内側にして歯部の先端を埋入部の根本に突き当てて歯部を埋入部に埋入咬合させ、突条を締結対象物の全周にわたり浮きなく密に押し当て締結対象物を固定することを特徴とする締結バンド。
【請求項２】
歯は突条の下の左右に列設され、中央部側に傾斜した鋸歯形状であることを特徴とする請求項１に記載の締結バンド。
【請求項３】
突条に、延伸方向に垂直に等間隔の溝が形成されたことを特徴とする請求項１または２に記載の締結バンド。
【請求項４】
透明エラストマー製であることを特徴とする請求項１、２または３に記載の締結バンド。
【発明の詳細な説明】
【技術分野】
【０００１】
本発明は、筒体に差し込まれたチューブ等を強固に固定する締結バンドに関し、特に、浮きを生じず側周から均一に締め付ける締結バンドに関する。
【背景技術】
【０００２】
従来、結束バンドは、幅広い分野において物を束ねて固定する目的で使用されている。医療現場においても、たとえば、図５に締結状態の断面図を示したように、人工心肺等の回路においてコネクタＣに接続するチューブＴの上から締め付ける、多数の鋸歯状の爪を有する自由端部と、これを挿入して抜けを規制する係止部を有する有孔基端部とを備えた結束バンドが用いられている。
【０００３】
また、このような回路においては、針金をチューブ外側から捲回固定し、端部の引っかかりを防止するために、上から保護テープを巻く例も存在する。
【０００４】
これらにおいては、チューブをより強固に固定できるため抜けが防止され、耐圧性も有するため、脈動的に内圧が変化する場合であっても液体漏れが防止される。
【０００５】
しかしながら、従来の技術では以下の問題点があった。
針金を用いる例では、捲回作業、端部のねじり作業および折り曲げ作業、テープの巻付け作業など、複数の工程が必要となるため作業性が悪いという問題点があった。特に、締め付け箇所が複数となる人工心肺回路においては、迅速な作業が要求される場合もあり、時間は極力かけたくないという要請が存在する。
【０００６】
また、図５に例示した結束バンドは、作業性が良いものの、有孔基端部において構造上自由端部がチューブＴから離れるので浮きが生じ、均一ないし同等の締め付け力が発揮できないという問題点がある。
【先行技術文献】
【特許文献】
【０００７】
【特許文献１】特開２０００−１３４７７１
【特許文献２】特開平９−２２９２６９
【特許文献３】特開平１１−３７３６８
【発明の概要】
【発明が解決しようとする課題】
【０００８】
本発明は上記に鑑みてなされたものであって、筒体に差し込まれたチューブ等を、浮きを生じず側周から均一に締め付ける締結バンドを提供することを目的とする。
【課題を解決するための手段】
【０００９】
請求項１に記載の締結バンドは、歯部と中央部と埋入部とがこの順に一方向に延伸して一体的に形成された、円筒形状の締結対象物を締め付ける締結バンドであって、歯部と中央部とにわたって立設する突条も一体的に形成され、歯部には歯が列設され、埋入部には、当該歯を埋入させて咬合する埋入溝が形成されており、突条を内側にして歯部の先端を埋入部の根本に突き当てて歯部を埋入部に埋入咬合させ、突条を締結対象物の全周にわたり浮きなく密に押し当て締結対象物を固定することを特徴とする。
【００１０】
すなわち、請求項１にかかる発明は、歯部の先端を埋入部の根元すなわち中央部側の溝に突き当てて勘合することにより、締結対象物の側周のどの場所においても浮きを生じず突条部分を密に押し当てることが可能となる。特に、円筒形状の対象物であれば均一かつ密な締め付けが可能となる。
【００１１】
使用に際しては、歯部と埋入部を切断するなどして適宜長さを調整し、突条の長さと締結対象物の側周の長さを揃えるようにする。このとき、突条の長さを若干短くして締め付け力を向上するようにしても良い。
【００１２】
締結バンドの素材は、柔軟な素材が好ましく、たとえば、ＰＰやポリアミド系合成繊維など使用目的に応じて各種の物理的・化学的特性を持たせたエラストマーとすることができる。たとえば、耐薬品性、耐磨耗性、耐油性、耐有機性、耐候性、耐熱性を挙げることができる。なお、若干の伸縮性を持たせて、好適な締め付け力を確保するようにしても良い。場合により、突条部分と他の部分を別の素材として二材射出成型により全体を一体形成することもできる。
【００１３】
歯の形状は、山形、鋸型、櫛形、くさび形等、抜けに抗する形状であれば特に限定されない。また、歯の厚みと埋入部の溝深さを同じとすることにより、バンドを閉じたときに突条の高さがそろい、段差が生じないので好適である。また、突条は、先端を細くすれば当接箇所にかかる締め付け力（圧力）が向上し、また、先端を広くすれば締結対象物に対する保持性が向上する。
【００１４】
請求項２に記載の締結バンドは、請求項１に記載の締結バンドにおいて、歯は突条の下の左右に列設され、中央部側に傾斜した鋸歯形状であることを特徴とする。
【００１５】
すなわち、請求項２にかかる発明は、いわゆる「かえし」が形成されているので、歯部と埋入部との係止力が向上し、より安定的な保持が可能となる。
【００１６】
請求項３に記載の締結バンドは、請求項１または２に記載の締結バンドにおいて、突条に、延伸方向に垂直に等間隔の溝が形成されたことを特徴とする。
【００１７】
すなわち、請求項３にかかる発明は、突条に撓みが生じにくく、より均一な締め付け力による固定が可能となる。
【００１８】
なお、溝はＶ字でもＵ字でもよい。また溝深さは突条の高さとすることができる。なお、Ｖ字の切り込み角度は、締結対象物の曲率を考慮して使用時に隙間のない一連の突条とすることができる。なお、素材や突条断面の縦横比を調整することにより、溝を設けず一様な締め付けが実現できるのはいうまでもない。
【００１９】
請求項４に記載の締結バンドは、請求項１、２または３に記載の締結バンドにおいて、透明エラストマー製であることを特徴とする。
【００２０】
すなわち、請求項４にかかる発明は、人工心肺回路など、締結対象物の中の様子を視認するのに好適な締結バンドを提供できる。
【発明の効果】
【００２１】
本発明によれば、筒体に差し込まれたチューブ等を、浮きを生じず側周から均一に締め付ける締結バンドを提供することができる。
詳細には、歯部の先端を埋入部の根元すなわち中央部側の溝に突き当てて勘合することにより、締結対象物の側周のどの場所においても浮きを生じず突条部分を密に押し当てることが可能となる。特に、円筒形状の対象物であれば均一かつ密な締め付けが可能となる（請求項１）。また、いわゆる「かえし」が形成されているので、歯部と埋入部との係止力が向上し、より安定的な保持が可能となる（請求項２）。また、突条に撓みが生じにくく、より均一な締め付け力による固定が可能となる（請求項３）。人工心肺回路など、締結対象物の中の様子を視認するのに好適な締結バンドを提供できる（請求項４）。
【図面の簡単な説明】
【００２２】
【図１】本発明の締結バンドの一例を示した外観図である。
【図２】本発明の締結バンドによる人工心肺回路のコネクタへの取付け例を示した模式断面図である。
【図３】締結バンドの大きさの一例を示した平面図と側面図である。
【図４】突条の断面例を示した図である
【図５】従来の結束バンドにより、コネクタに接合されたチューブに捲回して締め付けた状態を示した断面を表した模式図である。
【発明を実施するための形態】
【００２３】
以下、本発明の実施の形態を図面を参照しながら詳細に説明する。
図１は、本発明の締結バンドの一例を示した外観図である。図２は、本発明の締結バンドによる人工心肺回路のコネクタへの取付け例を示した模式断面図である。なお、図では、説明の便宜上、実際の縮尺と必ずしも同一比としていない。
【００２４】
締結バンド１は、透明ポリアミドの射出成形体であり、一方向に長く、歯部１０と中央部２０と埋入部３０とがこの順に並んだバンドである。なお、締結バンド１は、一体成型されているが、歯が列設されている部位を歯部１０、この歯に咬合する溝が設けてある部位を埋入部３０、それ以外の部位（中央にある部位）を中央部２０と称することとする。
【００２５】
歯部１０は、断面が略凸形状であり、両側の側面にはノコギリ状の歯１１が多数列設されている。また、上面には一本の突条４０が歯部１０の先端から中央部２０の先端にわたるまで設けられている。言い換えれば、歯部１０は、長手方向側面に歯部１０が列設された平板状の基台と、基台上の中央に形成された突条４０とが存在する部位といえる。なお、図では、歯部１０上の突条４０を歯部突条４１と適宜表記する。
【００２６】
歯１１は、片方の切片と他方の切片の傾きが異なっており、全体として中央部２０側に傾いた状態で同一の歯１１が連続して形成されたものである。後述するように、このような傾いた歯１１により、埋入部３０との係合性が向上し固定性が高まる。
【００２７】
中央部２０は、断面が凸形状であり、歯部１０からの突条４０がそのまま中央部２０上面の端部まで延伸して形成されている。なお、突条４０の高さは、中央部２０においても歯部１０においても同一である。すなわち、中央部２０における突条４０の立設面と、歯部１０における突条４０の立設面は、同一平面である。言い換えれば、中央部２０は、上面が歯部１０の上面と同一平面である平板状の基台と、歯部１０から延伸した同一の突条４０とが存在する部位と言える。なお、図では、中央部２０上の突条４０を中央部突条４２と適宜表記する。
【００２８】
埋入部３０は、その延伸方向に沿って凹条の溝３１が設けられており、その深さは、歯部１０の突条４０の高さと同じとし、また、溝３１の側面に、歯１１が埋入して咬合する嵌合部３２が形成された部位である。
【００２９】
突条４０の高さを、歯部１０と中央部２０とで同一とし、また、突条４０の立設面を歯部１０と中央部２０とで共通としており、さらに、突条４０の高さと溝３１の深さを同じくしているため、締結バンド１を締結させたとき、すなわち、歯部１０先端を埋入部３０の中央側の溝３１先端に突き合わせて埋入咬合させたときに、突条４０は段差のない円環を形成する。これにより、図２に示したように、突条４０がチューブＴの上から均一に浮きを生じず圧接し、固定信頼性を向上させることができる。
【００３０】
取付けに際しては、チューブＣの周長さに合わせて歯部１０を適宜切断し、また、必要に応じて埋入部３０を切断して長さを調整する。次に、歯１１の先端を、埋入部３０の溝３１の基端に突き当てて、歯部１０を埋入部３０に埋入咬合させる。なお、締め付け力を高めるために、長さを若干短くして切断してもよい。締結対象物の大きさが決まっている場合は、予め長さを調整した締結バンドとしてもよい。なお、使用の態様によっては、取付け後、さらに上から収縮チューブ等をあてがっても良く、粘着テープを捲回させて固定性を向上するようにしても良い。
【００３１】
図３に、締結バンドの大きさの一例を表した平面図と側面図を示す。なお、締結対象物に応じて、適宜各部位の大きさを変更できることはいうまでもない。
【００３２】
なお、締結バンドは、上記の態様に限定されない。図４は、突条の断面例を示した図である。突条の断面を先細りにすれば押圧力が高まり、また、逆台形とすれば、締結部材との接触性および保持性が高まる。また、曲率をつければ、接触部分に傷がつきにくくなる。場合により、上面を山切り形状とすることもできる。また、素材の柔軟性にもよるが、突条の幅を高さより大きくすることにより、よれを懸念することなく、安定的な締結が可能となる。
【００３３】
また、突条には、等間隔で延伸方向に垂直に切れ込みを入れることもできる。特に、柔軟性の高い素材を採用する場合、突条の高さが幅より大きい場合、または、締結対象物の曲率が大きな場合等には、突条における歪に由来するよれを生じさせなくすることができる。切れ込みは、適宜Ｖ字、Ｕ字などを採用することができる。
【００３４】
以上説明したように、発明によれば、浮きを生じず、締め付け対象の全周にあてがって均一な締め付けを実現可能な締結バンドを提供することができる。
【産業上の利用可能性】
【００３５】
本発明の締結バンドは、特に円筒形状物の締め付けに好適であり、人工心肺回路におけるコネクタ周りのほか、たとえば、水道ホースなどにも適用可能である。
【符号の説明】
【００３６】
１        締結バンド
１０     歯部
１１     歯
２０     中央部
３０     埋入部
３１     溝（埋入溝）
３２     嵌合部
４０     突条
【図１】
0005810583.tif 000002
【図２】
0005810583.tif 000003
【図３】
0005810583.tif 000004
【図４】
0005810583.tif 000005
【図５】
0005810583.tif 000006